(57)【要約】【課題】２画面のサイズの比率を任意に変更することができる映像出力装置を提供する。【解決手段】スライドスイッチの出力電圧は主画面サイズ操作電圧に相当し主画面サイズ電圧検出手段に与えられる。また、その出力電圧は電圧差検出手段に入力され電源電圧から出力電圧を差し引いた電圧が算出され、この電圧が副画面サイズ操作電圧に相当し、副画面サイズ電圧検出手段に与えられる。主画面サイズ操作電圧が主画面サイズ操作電圧検出手段により検出され、副画面サイズ操作電圧が副画面サイズ操作電圧検出手段により検出される。画面比率算出手段は、主画面サイズ操作電圧と副画面サイズ操作電圧との電圧差に基づいて画面比率を算出する。映像合成手段は、主画面のサイズと副画面のサイズとを前記算出された画面比率に基づいて設定して２画面を表示装置に表示させる。【選択図】図４
2008085546.tif 000002
【特許請求の範囲】
【請求項１】
第１の画面と第２の画面を並べて表示手段に表示させることが可能な２画面機能を有する映像出力装置において、
前記第１の画面と前記第２の画面との画面比率を変更するために本体操作部または／およびリモコンに設けられスライドレバーを動かすことによって出力電圧が変化するように構成されたスライドスイッチと、
前記スライドスイッチの出力電圧を入力して前記出力電圧を前記第１の画面のサイズを制御する第１画面サイズ電圧として検出する第１画面サイズ電圧検出手段と、
前記スライドスイッチへの電源電圧から前記出力電圧を差し引いて両電圧の電圧差を検出する電圧差検出手段と、
前記電圧差を入力して前記電圧差を前記第２の画面のサイズを制御する第２画面サイズ電圧として検出する第２画面サイズ電圧検出手段と、
前記第１画面サイズ電圧検出手段からの第１画面サイズ電圧と前記第２画面サイズ電圧検出手段からの第２画面サイズ電圧とに基づいて前記第１の画面と前記第２の画面との画面比率を算出する画面比率算出手段と、
前記第１の画面に関する第１の映像信号と前記第２の画面に関する第２の映像信号とを前記算出された画面比率に基づいて合成して前記画面比率に従ったサイズの前記第１の画面と前記第２の画面を前記表示手段に表示させる映像合成手段とを備えたことを特徴とする映像出力装置。
【請求項２】
第１の画面と第２の画面を並べて表示手段に表示させることが可能な２画面機能を有する映像出力装置において、
前記第１の画面と前記第２の画面との画面比率を変更するための画面比率変更操作手段と、
前記画面比率変更操作手段の操作に従って前記第１の画面と前記第２の画面との画面比率を算出する画面比率算出手段と、
前記第１の画面に関する第１の映像信号と前記第２の画面に関する第２の映像信号とを前記算出された画面比率に基づいて合成して前記画面比率に従ったサイズの前記第１の画面と前記第２の画面を前記表示手段に表示させる映像合成手段とを備えたことを特徴とする映像出力装置。
【請求項３】
前記画面比率変更操作手段としては、前記第１の画面と前記第２の画面との画面比率を変更するために、本体操作部または／およびリモコンに設けられスライドレバーを動かすことによって出力電圧が変化するように構成されたスライドスイッチで実現し、
前記スライドスイッチの出力電圧を入力して前記出力電圧を前記第１の画面のサイズを制御する第１画面サイズ電圧として検出する第１画面サイズ電圧検出手段と、前記スライドスイッチへの電源電圧から前記出力電圧を差し引いて両電圧の電圧差を検出する電圧差検出手段と、前記電圧差を入力して前記電圧差を前記第２の画面のサイズを制御する第２画面サイズ電圧として検出する第２画面サイズ電圧検出手段とを備え、
前記画面比率算出手段は、前記第１画面サイズ電圧検出手段からの第１画面サイズ電圧と前記第２画面サイズ電圧検出手段からの第２画面サイズ電圧とに基づいて前記第１の画面と前記第２の画面との画面比率を算出することを特徴とする請求項２に記載の映像出力装置。
【発明の詳細な説明】
【技術分野】
【０００１】
本発明は、テレビジョン受像機やカーナビゲーション装置などのように表示装置を備えた映像出力装置に関し、特に、第１の画面と第２の画面を並べて表示装置に表示させることが可能な２画面機能を有する映像出力装置に関する。
【背景技術】
【０００２】
従来から、テレビジョン受像機やカーナビゲーション装置などのように表示装置を備えた映像出力装置では、第１の画面（主画面）と第２の画面（副画面）を並べて表示装置に表示させることが可能な２画面機能を有している。
【０００３】
この種の従来の映像出力装置として、例えば、特許文献１の従来技術では、リモコンの画面モードボタンの押下により、第１の画面（主画面）と第２の画面（副画面）とが等しい２画面で表示する２画面モード１と、第１の画面（主画面）を大きく、第２の画面（副画面）を小さくする２画面モード２とを、選択表示できるようにしている。
【０００４】
また、例えば、特許文献２の従来技術では、リモコンのモードスイッチの操作の度に中央分割のツインモード、左側主体のＬメインモード、右側主体のＲメインモードとして、画像を左右に２画面分割する表示を行うようにしている。
【特許文献１】特開２００６−１４００４号公報
【特許文献２】特再表ＷＯ９８／２０３０３号公報
【発明の開示】
【発明が解決しようとする課題】
【０００５】
しかしながら、特許文献１の従来技術では、リモコンの画面モードボタンの押下により、第１の画面（主画面）と第２の画面（副画面）とが等しい２画面で表示する２画面モード１と、第１の画面（主画面）を大きく、第２の画面（副画面）を小さくする２画面モード２とを、選択表示できるようにしているが、第１の画面（主画面）と第２の画面（副画面）を任意の画面サイズにすることができないので、２画面のサイズの比率を任意に変更したいユーザにとっては、使い勝手が悪いという課題が生じる。また、特許文献２の従来技術では、リモコンのモードスイッチの操作の度に中央分割のツインモード、左側主体のＬメインモード、右側主体のＲメインモードとして、画像を左右に２画面分割する表示を行うようにしているが、この従来技術も、２画面のサイズの比率を任意に変更したいユーザにとっては、使い勝手が悪いという課題が生じる。
【０００６】
本発明は、上記のような課題を解決するためになされたもので、２画面のサイズの比率を任意に変更することができる映像出力装置を提供することを目的とする。
【課題を解決するための手段】
【０００７】
上記目的を達成するために、請求項１の発明は、第１の画面と第２の画面を並べて表示手段に表示させることが可能な２画面機能を有する映像出力装置において、前記第１の画面と前記第２の画面との画面比率を変更するために本体操作部または／およびリモコンに設けられスライドレバーを動かすことによって出力電圧が変化するように構成されたスライドスイッチと、前記スライドスイッチの出力電圧を入力して前記出力電圧を前記第１の画面のサイズを制御する第１画面サイズ電圧として検出する第１画面サイズ電圧検出手段と、前記スライドスイッチへの電源電圧から前記出力電圧を差し引いて両電圧の電圧差を検出する電圧差検出手段と、前記電圧差を入力して前記電圧差を前記第２の画面のサイズを制御する第２画面サイズ電圧として検出する第２画面サイズ電圧検出手段と、前記第１画面サイズ電圧検出手段からの第１画面サイズ電圧と前記第２画面サイズ電圧検出手段からの第２画面サイズ電圧とに基づいて前記第１の画面と前記第２の画面との画面比率を算出する画面比率算出手段と、前記第１の画面に関する第１の映像信号と前記第２の画面に関する第２の映像信号とを前記算出された画面比率に基づいて合成して前記画面比率に従ったサイズの前記第１の画面と前記第２の画面を前記表示手段に表示させる映像合成手段とを備えたことを特徴とする映像出力装置を提供する。
【０００８】
この構成において、スライドスイッチの出力電圧は、第１の画面サイズ操作電圧に相当し、第１の画面サイズ電圧検出手段に与えられる。また、その出力電圧は、電圧差検出手段に入力され、電源電圧から出力電圧を差し引いた電圧が算出され、この算出された電圧が第２の画面サイズ操作電圧に相当するので、この第２の画面サイズ操作電圧が第２の画面サイズ電圧検出手段に与えられる。このときの第１の画面サイズ操作電圧が第１の画面サイズ操作電圧検出手段により検出され、第２の画面サイズ操作電圧が第２の画面サイズ操作電圧検出手段により検出される。次に、画面比率算出手段は、第１の画面サイズ操作電圧検出手段からの第１の画面サイズ操作電圧と、第２の画面サイズ操作電圧検出手段からの第２の画面サイズ操作電圧との電圧差に基づいて画面比率を算出する。そして、映像合成手段は、第１の画面のサイズと第２の画面のサイズとを、前記算出された画面比率に基づいて設定し、この設定された２画面を表示手段に表示させる。
【０００９】
この構成によれば、スライドスイッチを操作することによって、簡単に直感的に２画面のサイズの比率を任意に変更することができ、これにより、表示手段の限られた画面の大きさを有効に使用でき、２画面のサイズの比率を任意に変更したいユーザにとっては、使い勝手が向上する。
【００１０】
請求項２の発明は、第１の画面と第２の画面を並べて表示手段に表示させることが可能な２画面機能を有する映像出力装置において、前記第１の画面と前記第２の画面との画面比率を変更するための画面比率変更操作手段と、前記画面比率変更操作手段の操作に従って前記第１の画面と前記第２の画面との画面比率を算出する画面比率算出手段と、前記第１の画面に関する第１の映像信号と前記第２の画面に関する第２の映像信号とを前記算出された画面比率に基づいて合成して前記画面比率に従ったサイズの前記第１の画面と前記第２の画面を前記表示手段に表示させる映像合成手段とを備えたことを特徴とする映像出力装置を提供する。
【００１１】
この構成において、画面比率変更操作手段の操作に従って、第１の画面と第２の画面との画面比率が画面比率算出手段により算出される。前記第１の画面に関する第１の映像信号と前記第２の画面に関する第２の映像信号とは、前記算出された画面比率に基づいて映像合成手段で合成されて、前記画面比率に従ったサイズの前記第１の画面と前記第２の画面とが表示手段に表示される。
【００１２】
この構成によれば、スライドスイッチを操作することによって、簡単に直感的に２画面のサイズの比率を任意に変更することができ、これにより、表示手段の限られた画面の大きさを有効に使用でき、２画面のサイズの比率を任意に変更したいユーザにとっては、使い勝手が向上する。
【００１３】
請求項３の発明では、請求項２の発明において、前記画面比率変更操作手段としては、第１の画面と第２の画面との画面比率を変更するために、本体操作部または／およびリモコンに設けられスライドレバーを動かすことによって出力電圧が変化するように構成されたスライドスイッチで実現し、前記スライドスイッチの出力電圧を入力して前記出力電圧を前記第１の画面のサイズを制御する第１画面サイズ電圧として検出する第１画面サイズ電圧検出手段と、前記スライドスイッチへの電源電圧から前記出力電圧を差し引いて両電圧の電圧差を検出する電圧差検出手段と、前記電圧差を入力して前記電圧差を前記第２の画面のサイズを制御する第２画面サイズ電圧として検出する第２画面サイズ電圧検出手段とを備え、前記画面比率算出手段は、前記第１画面サイズ電圧検出手段からの第１画面サイズ電圧と前記第２画面サイズ電圧検出手段からの第２画面サイズ電圧とに基づいて前記第１の画面と前記第２の画面との画面比率を算出することを特徴としている。
【００１４】
したがって、画面比率変更操作手段としてはスライドスイッチで実現でき、第１の画面のサイズを制御する第１画面サイズ電圧、および第２の画面のサイズを制御する第２画面サイズ電圧を検出でき、第１画面サイズ電圧と第２画面サイズ電圧とに基づいて第１の画面と第２の画面との画面比率を算出することができる。
【発明の効果】
【００１５】
以上のように本発明によれば、第１の画面と第２の画面を並べて表示手段に表示させることが可能な２画面機能を有する映像出力装置において、前記第１の画面と前記第２の画面との画面比率を変更するために本体操作部または／およびリモコンに設けられスライドレバーを動かすことによって出力電圧が変化するように構成されたスライドスイッチと、前記スライドスイッチの出力電圧を入力して前記出力電圧を前記第１の画面のサイズを制御する第１画面サイズ電圧として検出する第１画面サイズ電圧検出手段と、前記スライドスイッチへの電源電圧から前記出力電圧を差し引いて両電圧の電圧差を検出する電圧差検出手段と、前記電圧差を入力して前記電圧差を前記第２の画面のサイズを制御する第２画面サイズ電圧として検出する第２画面サイズ電圧検出手段と、前記第１画面サイズ電圧検出手段からの第１画面サイズ電圧と前記第２画面サイズ電圧検出手段からの第２画面サイズ電圧とに基づいて前記第１の画面と前記第２の画面との画面比率を算出する画面比率算出手段と、前記第１の画面に関する第１の映像信号と前記第２の画面に関する第２の映像信号とを前記算出された画面比率に基づいて合成して前記画面比率に従ったサイズの前記第１の画面と前記第２の画面を前記表示手段に表示させる映像合成手段とを備えたので、スライドスイッチを操作することによって、簡単に直感的に２画面のサイズの比率を任意に変更することができ、これにより、表示手段の限られた画面の大きさを有効に使用でき、２画面のサイズの比率を任意に変更したいユーザにとっては、使い勝手が向上する。
【００１６】
また、本発明によれば、第１の画面と第２の画面を並べて表示手段に表示させることが可能な２画面機能を有する映像出力装置において、前記第１の画面と前記第２の画面との画面比率を変更するための画面比率変更操作手段と、前記画面比率変更操作手段の操作に従って前記第１の画面と前記第２の画面との画面比率を算出する画面比率算出手段と、前記第１の画面に関する第１の映像信号と前記第２の画面に関する第２の映像信号とを前記算出された画面比率に基づいて合成して前記画面比率に従ったサイズの前記第１の画面と前記第２の画面を前記表示手段に表示させる映像合成手段とを備えたので、スライドスイッチを操作することによって、簡単に直感的に２画面のサイズの比率を任意に変更することができ、これにより、表示手段の限られた画面の大きさを有効に使用でき、２画面のサイズの比率を任意に変更したいユーザにとっては、使い勝手が向上する。
【発明を実施するための最良の形態】
【００１７】
以下、添付図面を参照しつつ、本発明の実施の形態について説明する。図１は本発明の一実施形態に係る映像出力装置を含むテレビジョン受像機の構成を示すブロック図である。
【００１８】
図１において、本テレビジョン受像機は、アンテナからの映像／音声信号を受信する主画面チューナ６と、アンテナからの映像／音声信号を受信する副画面チューナ１０と、主画面チューナ６からの音声信号を処理してスピーカ１９に出力する主画面音声信号処理部８と、副画面チューナ１０からの音声信号を処理してイヤホン端子２０に出力する副画面音声信号処理部１２と、主画面チューナ１６からの映像信号から字幕データを取り込む主画面字幕制御部５と、副画面チューナ１０からの映像信号から字幕データを取り込む副画面字幕制御部９と、主画面字幕制御部５および副画面字幕制御部９からの字幕データをオンスクリーン信号に変換するオンスクリーン表示処理部１３と、主画面チューナ６からの映像信号およびオンスクリーン表示処理部１３からのオンスクリーン信号を処理する主画面映像信号処理部７と、副画面チューナ１０からの映像信号およびオンスクリーン表示処理部１３からのオンスクリーン信号を処理する副画面映像信号処理部１１とを備えている。
【００１９】
また、本テレビジョン受像機は、主画面映像信号処理部７からの映像信号と副画面映像信号処理部１１からの映像信号とオンスクリーン表示処理部１３からのオンスクリーン信号を合成する映像合成処理部１４と、本体スライドスイッチ１７の操作またはリモコン１８のスライドスイッチ１８１の操作に応じて第１画面と第２画面とのサイズの割合を変更するように映像合成処理部１４を制御する画面サイズ制御部１５と、映像合成処理部１４からの映像信号を入力して映像を表示させる表示装置１６と、本テレビジョン受像機の制御を行うテレビ制御部３と、リモコン１８からの送信コードを解読するためのリモコンコード解読部１と、リモコンコード解読部１から入力されたイベントを判断してテレビ制御部３に指示を出すイベント管理部２と、現在の状態モードを記憶するメモリ４とを備えている。
【００２０】
図２は本実施形態において画面サイズ制御部の構成およびその周辺の構成要素を示すブロック図である。図２に示すように、画面サイズ制御部１５は、主画面サイズ電圧検出手段１５１、電圧差検出手段１５２、副画面サイズ電圧検出手段１５３、画面比率算出手段１５４、スライド電圧出力手段１５５、および切換手段１５６を有している。本体スライドスイッチ１７は、抵抗１７１とスライド接点１７２を有し、抵抗１７１の一端には電源電圧Ｖｃｃが供給され、抵抗１７１の他端は接地されている。スライド接点１７２は、抵抗１７１上を摺動し、スライド接点１７２を動かすことによってスライド接点１７２の出力電圧が変化する。切換手段１５６は、スライド接点１７２の出力とスライド電圧出力手段１５５の出力とを切り換えるものであり、スライド接点１７２の出力電圧が変化すると、スライド接点１７２側に切り換えられ、スライド電圧出力手段１５５の出力電圧が変化すると、スライド電圧出力手段１５５側に切り換えられる。即ち、本体スライドスイッチ１７が操作されたとき、切換手段１５６はスライド接点１７２側に切り換えられ、リモコン１８のスライドスイッチ１８１（スライドレバー１８１ａ）が操作されたとき、切換手段１５６はスライド電圧出力手段１５５側に切り換えられる。
【００２１】
主画面サイズ電圧検出手段１５１は、切換手段１５６の出力電圧を主画面のサイズを設定するための電圧として検出する。例えば、説明を分かり易くするために電源電圧Ｖｃｃを１０Ｖとすると、本体スライドスイッチ１７のスライド接点１７２が抵抗１７１の中間に位置しているときは、スライド接点１７２の出力電圧は５Ｖとなり、この５Ｖ電圧が切換手段１５６を介して主画面サイズ電圧検出手段１５１に与えられる。これにより、主画面サイズ電圧検出手段１５１は、主画面サイズ電圧として５Ｖを検出する。
【００２２】
また、一方、切換手段１５６から出力された５Ｖ電圧は、電圧差検出手段１５２に与えられ、電圧差検出手段１５２において、前記５Ｖ電圧と、基準電圧である電源電圧Ｖｃｃ（この例の場合１０Ｖ）と比較され、その差の５Ｖ電圧が出力される。これにより、副画面サイズ電圧検出手段１５３は、副画面サイズ電圧として５Ｖを検出する。したがって、この場合、画面比率算出手段１５４は、それらの電圧差に基づいて、主画面のサイズと副画面のサイズとの比率１；１を算出する。そして、この比率１：１が映像合成処理部１４に入力され、映像合成処理部１４は、主画面映像信号処理部７からの主画面映像信号信号による画面サイズと副画面映像信号処理部１１からの副画面映像信号信号による画面サイズとの比率を１：１に設定する。これにより、表示装置１６に表示される主画面と副画面とは、画面サイズが１：１で表示される。
【００２３】
また、本体スライドスイッチ１７のスライド接点１７２が抵抗１７１の電源電圧Ｖｃｃ（１０Ｖ）側から見て、１：４の箇所に位置しているときは、スライド接点１７２の出力電圧は８Ｖとなり、この８Ｖ電圧が切換手段１５６を介して主画面サイズ電圧検出手段１５１に与えられる。これにより、主画面サイズ電圧検出手段１５１は、主画面サイズ電圧として８Ｖを検出する。
【００２４】
また、一方、切換手段１５６から出力された８Ｖ電圧は、電圧差検出手段１５２に与えられ、電圧差検出手段１５２において、前記８Ｖ電圧と、基準電圧である電源電圧Ｖｃｃ（この例の場合１０Ｖ）と比較され、その差の２Ｖ電圧が出力される。これにより、副画面サイズ電圧検出手段１５３は、副画面サイズ電圧として２Ｖを検出する。したがって、この場合、画面比率算出手段１５４は、それらの電圧差に基づいて、主画面のサイズと副画面のサイズとの比率４；１を算出する。そして、この比率４：１が映像合成処理部１４に入力され、映像合成処理部１４は、主画面映像信号処理部７からの主画面映像信号信号による画面サイズと副画面映像信号処理部１１からの副画面映像信号信号による画面サイズとの比率を４：１に設定する。これにより、表示装置１６に表示される主画面と副画面とは、画面サイズが４：１で表示される。
【００２５】
ユーザがリモコン１８のスライドスイッチ１８１を操作した場合は、そのスライドスイッチ１８１の設定位置を示すリモコンコードがリモコンコード解読部１で解読され、更に、そのリモコンコードによるイベントがイベント管理部２により判断されて、そのイベントに対する指示がテレビ制御部３に与えられる。これにより、テレビ制御部３は、リモコン１８のスライドスイッチ１８１の設定位置に相当するスライド電圧がスライド電圧出力手段１５５から出力できるように、スライド電圧出力手段１５５を制御する。
【００２６】
即ち、テレビ制御部３は、前述した本体スライドスイッチ１７にスライド接点１７２から出力されるスライド電圧に相当するような電圧をスライドスイッチ電圧手段１５５から出力させる。この場合、切換手段１５６は、スライド電圧出力手段１５５側に切り換えられる。この後の動作は、本体スライドスイッチ１７が操作された場合の動作と同じであるので、説明を省略する。なお、この例では、リモコン１８に本体スライドスイッチ１７（図３参照）のようなスライドスイッチ１８１を設けたとして説明したが、特定の２個の操作ボタンのうち一方の操作ボタンを押していけば、本体スライドスイッチ１７が右方向に動かした場合と同じ動作を行うようにし、他方の操作ボタンを押して行けば、本体スライドスイッチ１７が左方向に動かした場合と同じ動作を行うようにしても良い。
【００２７】
図３および図４は本実施形態において表示装置に表示される主画面と副画面との画面サイズを説明するための表示画面図である。
【００２８】
図３および図４において、表示装置１６の表示画面１６１には、主画面Ａと副画面Ｂが表示されている。また、表示装置１６の本体操作部１６２には、スライドスイッチ１７や電源スイッチ１６３などが設けられている。スライドスイッチ１７のスライドレバー１７２ａは、スライド接点１７２（図２参照）に連動され、スライドレバー１７２ａを左右に動かすことによって、スライド接点１７２が抵抗１７１（図２参照）を摺動するので、スライド接点１７２の出力電圧が変化することになる。
【００２９】
したがって、図３に示すように、スライドレバー１７２ａが左寄りに設定されている場合には、主画面Ａのサイズが副画面Ｂのサイズよりも小さくなる。また、図４に示すように、スライドレバー１７２ａが右寄りに設定されている場合には、主画面Ａのサイズが副画面Ｂのサイズよりも大きくなる。また、図示しないが、スライドレバー１７２ａが中央に設定されている場合には、主画面Ａのサイズと副画面Ｂのサイズとが同じになる。また、図示しないが、スライドレバー１７２ａが左端に設定されている場合には、主画面Ａが表示されず、副画面Ｂが表示画面１６１の全領域に表示される。また、図示しないが、スライドレバー１７２ａが右端に設定されている場合には、副画面Ｂが表示されず、主画面Ａが表示画面１６１の全領域に表示される。
【００３０】
図５は本実施形態において主画面と副画面とのサイズを変更する場合の動作を説明するためのフローチャートである。このフローチャートおよび図１〜図４を参照して主画面と副画面とのサイズを変更する場合の動作について説明する。
【００３１】
リモコン１８の電源キー１８２または本体操作部１６２の電源キー１６３が押下されると、テレビ制御部３は、装置の電源がオンされたことを検知し（ステップＳ１）、更にリモコン１８の操作により２画面表示モードに設定されたことを検知すると（ステップＳ２）、表示装置１６に２画面を表示させる（ステップＳ３）。このときに表示装置１６に表示される主画面Ａと副画面Ｂとのサイズの比率は、本体スライドスイッチ１７のスライドレバー１７２ａの位置に応じたものとなる。このサイズ比率（画面比率）については、図３および図４での説明で述べている。
【００３２】
ここで、ユーザによりスライドスイッチ１７のスライドレバー１７２ａが右方向にスライドされると（ステップＳ４）、スライドスイッチ１７のスライド接点１７２の出力電圧が高くなる。その出力電圧は、主画面サイズ操作電圧に相当し、切換手段１５６を介して主画面サイズ電圧検出手段１５１に与えられる。また、その出力電圧は、切換手段１５６を介して電圧差検出手段１５２に入力され、電源電圧Ｖｃｃから出力電圧を差し引いた電圧が算出され、この算出された電圧が副画面サイズ操作電圧に相当するので、この副画面サイズ操作電圧が副画面サイズ電圧検出手段１５３に与えられる。即ち、主画面サイズ操作電圧が高くなり、副画面サイズ操作電圧が低くなり（ステップＳ５）、このときの主画面サイズ操作電圧が主画面サイズ操作電圧検出手段１５１により検出され、副画面サイズ操作電圧が副画面サイズ操作電圧検出手段１５３により検出される。
【００３３】
次に、画面サイズ制御部１５は、主画面サイズ操作電圧検出手段１５１からの主画面サイズ操作電圧と、副画面サイズ操作電圧検出手段１５３からの副画面サイズ操作電圧との電圧差に基づいて画面比率を算出する（ステップＳ６）。そして、映像合成処理部１４は、主画面映像信号処理部７からの主画面映像信号による主画面Ａのサイズと、副画面映像信号処理部１１からの副画面映像信号による副画面Ｂのサイズとを、前記算出された画面比率に基づいて設定し、この場合、主画面Ａのサイズを大きく、副画面Ｂのサイズを小さく設定し（ステップＳ７）、そのサイズ変更された２画面を表示装置１６に表示させる（ステップＳ８）。
【００３４】
一方、ステップＳ４において、ユーザによりスライドスイッチ１７のスライドレバー１７２ａが左方向にスライドされると（ステップＳ４）、スライドスイッチ１７のスライド接点１７２の出力電圧が低くなる。その出力電圧は、主画面サイズ操作電圧に相当し、切換手段１５６を介して主画面サイズ電圧検出手段１５１に与えられる。また、その出力電圧は、切換手段１５６を介して電圧差検出手段１５２に入力され、電源電圧Ｖｃｃから出力電圧を差し引いた電圧が算出され、この算出された電圧が副画面サイズ操作電圧に相当するので、この副画面サイズ操作電圧が副画面サイズ電圧検出手段１５３に与えられる。即ち、主画面サイズ操作電圧が低くなり、副画面サイズ操作電圧が高くなり（ステップＳ９）、このときの主画面サイズ操作電圧が主画面サイズ操作電圧検出手段１５１により検出され、副画面サイズ操作電圧が副画面サイズ操作電圧検出手段１５３により検出される。
【００３５】
次に、画面サイズ制御部１５は、主画面サイズ操作電圧検出手段１５１からの主画面サイズ操作電圧と、副画面サイズ操作電圧検出手段１５３からの副画面サイズ操作電圧との電圧差に基づいて画面比率を算出する（ステップＳ１０）。そして、映像合成処理部１４は、主画面映像信号処理部７からの主画面映像信号による主画面Ａのサイズと、副画面映像信号処理部１１からの副画面映像信号による副画面Ｂのサイズとを、前記算出された画面比率に基づいて設定し、この場合、副画面Ｂのサイズを大きく、主画面Ａのサイズを小さく設定し（ステップＳ１１）、そのサイズ変更された２画面を表示装置１６に表示させる（ステップＳ１２）。
【００３６】
以上説明したように本実施形態によれば、スライドスイッチを操作することによって、簡単に直感的に２画面のサイズの比率を任意に変更することができ、これにより、表示手段の限られた画面の大きさを有効に使用でき、２画面のサイズの比率を任意に変更したいユーザにとっては、使い勝手が向上する。
【００３７】
なお、以上説明した実施形態では、本発明の特徴とする映像出力装置を含むテレビジョン受像機の構成について説明したが、これに限らず、本発明の特徴とする映像出力装置は、カーナビゲーション装置や、その他、２画面を表示させることができる電子機器であれば、何れでも採用することができる。また、本実施形態では、第１の画面としては、主画面チューナからの主画面映像信号による主画面を示し、第２の画面としては、副画面チューナからの副画面映像信号による副画面を示したが、これに限らず、一般的に、第１の画面としては、第１の画面映像信号による主画面とし、第２の画面としては、第２の画面映像信号による副画面として考えれば、第１の画面映像信号をテレビ放送の映像信号とし、第２の画面映像信号をカーナビゲーション装置の映像信号とすれば、主画面には、テレビ放送番組の映像が表示され、副画面には、カーナビゲーション装置の映像信号が表示される。なお、第１の画面を副画面とし、第２の画面を主画面としても良い。
【産業上の利用可能性】
【００３８】
本発明は、テレビジョン受像機やカーナビゲーション装置などのように表示装置を備えた映像出力装置に利用可能であり、２画面のサイズの比率を任意に変更することを可能にする。
【図面の簡単な説明】
【００３９】
【図１】本発明の一実施形態に係る映像出力装置を含むテレビジョン受像機の構成を示すブロック図である。
【図２】前記実施形態において画面サイズ制御部の構成およびその周辺の構成要素を示すブロック図である。
【図３】前記実施形態において表示装置に表示される主画面と副画面との画面サイズを説明するための表示画面図である。
【図４】前記実施形態において表示装置に表示される主画面と副画面との画面サイズを説明するための表示画面図である。
【図５】前記実施形態において主画面と副画面とのサイズを変更する場合の動作を説明するためのフローチャートである。
【符号の説明】
【００４０】
１４    映像合成処理部（映像合成手段）
１６    表示装置（表示手段）
１７    スライドスイッチ（画面比率変更操作手段）
１８    リモコン
１５１    主画面サイズ電圧検出手段（第１画面サイズ電圧検出手段）
１５２    電圧差検出手段
１５３    副画面サイズ電圧検出手段（第２画面サイズ電圧検出手段）
１５４    画面比率算出手段
１６２    本体操作部
１７２ａ    スライドレバー
１８１    スライドスイッチ（リモコン側のスライドスイッチ、画面比率変更操作手段）
１８１ａ    スライドレバー（リモコン側のスライドレバー）
Ａ    主画面（第１の画面）
Ｂ    副画面（第２の画面）
【図１】
2008085546.tif 000003
【図２】
2008085546.tif 000004
【図３】
2008085546.tif 000005
【図４】
2008085546.tif 000006
【図５】
2008085546.tif 000007